(57)【要約】【課題】高さ寸法の大きな障子に対しても不具合を生じることなく利用できるロック装置、該ロック装置を備える開閉装置及び該開閉装置を備える建具を提供する。【解決手段】ロック装置３０の上側受圧部材４２は、ロックバー３８のスライド方向と直交する横方向に沿って設けられ、ハンドル２８がロック位置からアンロック位置に向かって操作された場合に駆動ピン３６によって押圧される操作面４２ａと、操作面４２ａから連続するように設けられ、上側受圧部材４２の先端側に向かって上方に傾斜すると共に、ハンドル２８がアンロック位置とされた状態で駆動ピン３６が当接する傾斜面４２ｂとを有する。【選択図】図５
2018193746.tif 000002
【特許請求の範囲】
【請求項１】
障子を枠体に対して閉じ位置でロックするロック装置であって、
回転操作部と、
前記回転操作部が回転操作された場合に上下方向の変位を持って旋回動作する駆動部材と、
上下方向にスライド可能であり、錠受け部材に対して係脱可能なロックバーと、
前記ロックバーの一側面から突出するように設けられ、上方へと旋回する前記駆動部材によって押圧される上側受圧部材と、
を備え、
前記回転操作部がロック位置からアンロック位置に回転操作された場合に前記駆動部材によって前記上側受圧部材が押圧されて前記ロックバーが上昇して前記錠受け部材と非係合状態となる一方、前記回転操作部が前記アンロック位置から前記ロック位置に回転操作された場合に前記ロックバーが下降して前記錠受け部材と係合状態となることで、前記障子を前記枠体に対して閉じ位置でロックするものであり、
前記上側受圧部材は、前記ロックバーのスライド方向と直交する横方向に沿って設けられ、前記回転操作部が前記ロック位置から前記アンロック位置に向かって操作された場合に前記駆動部材によって押圧される操作面と、
前記操作面から連続するように設けられ、該上側受圧部材の先端側に向かって上方に傾斜すると共に、前記回転操作部がアンロック位置とされた状態で前記駆動部材が当接する傾斜面と、を有することを特徴とするロック装置。
【請求項２】
請求項１に記載のロック装置において、
前記回転操作部がアンロック位置とされて前記駆動部材が前記傾斜面に当接した状態で、前記駆動部材の軸中心と前記回転操作部の回転中心とを通過する第１直線が前記傾斜面に対して直交する構成とした場合での前記操作面に沿う第２直線と前記傾斜面との間の交差角度を基準角度と称すると、
前記第２直線と前記傾斜面との間の交差角度が、前記基準角度以下に設定されていることを特徴とするロック装置。
【請求項３】
請求項１に記載のロック装置において、
前記回転操作部は、前記ロック位置から前記アンロック位置まで９０度回転する構成であって、前記ロック位置において前記駆動部材はその軸中心が前記横方向から下方に４５度旋回した位置に設定される一方、前記アンロック位置において前記駆動部材はその軸中心が前記横方向から上方に４５度旋回した位置に設定されるものであり、
前記操作面に沿う直線と前記傾斜面との間の交差角度が、４５度以下に設定されていることを特徴とするロック装置。
【請求項４】
請求項１〜３のいずれか１項に記載のロック装置において、
前記上側受圧部材と対向配置されて前記ロックバーの一側面から突出するように設けられ、下方へと旋回する前記駆動部材によって押圧される下側受圧部材を備え、
前記下側受圧部材は、前記ロックバーのスライド方向と直交する横方向に沿って設けられ、前記回転操作部が前記アンロック位置から前記ロック位置に向かって操作された場合に前記駆動部材によって押圧される下側操作面と、
前記下側操作面から連続するように設けられ、該下側受圧部材の先端側に向かって下方に傾斜すると共に、前記回転操作部がロック位置とされた状態で前記駆動部材が当接する下側傾斜面と、を有することを特徴とするロック装置。
【請求項５】
請求項１〜４のいずれか１項に記載のロック装置において、
前記駆動部材は、前記操作面及び前記傾斜面に対して外周面が当接するピン状部材であることを特徴とするロック装置。
【請求項６】
請求項１〜５のいずれか１項に記載のロック装置において、
前記回転操作部は、前記障子の外面から出没可能に設けられたハンドルを有することを特徴とするロック装置。
【請求項７】
請求項１〜６のいずれか１項に記載のロック装置を有する前記障子と、該障子を開閉可能に支持すると共に前記錠受け部材を有する前記枠体とを備えることを特徴とする開閉装置。
【請求項８】
請求項７に記載の開閉装置と、前記枠体の縦枠と連結された窓とを備える建具であって、
前記開閉装置は、前記障子を開動作させた場合に、前記枠体の開口部が屋内外に連通して外気を屋内に取り込む換気通路を形成する換気装置であることを特徴とする建具。
【発明の詳細な説明】
【技術分野】
【０００１】
本発明は、ロック装置、開閉装置及び建具に関する。
【背景技術】
【０００２】
例えば特許文献１には、枠体に支持された障子の開閉と施錠を行う平面ハンドルを備えたロック装置が開示されている。このロック装置は、ハンドルを回転させてその裏側のカム状の掛金を回動させることで、掛金を枠体側の錠受け部材に係合させ、障子をロックするものである。
【先行技術文献】
【特許文献】
【０００３】
【特許文献１】特開２０１４−１０５４８７号公報
【発明の概要】
【発明が解決しようとする課題】
【０００４】
ところで、例えば上下方向の高さ寸法が大きな障子では、上下方向に延びたロックバーを障子の側面に沿って上下動可能に支持し、このロックバーをハンドルの回転動作によって上下方向にスライドさせる構成のロック装置が用いられることがある。この構成では、ロックバーに設けたロックピンを枠体側の錠受け部材に係合させることで障子をロックすることができる。
【０００５】
ところが、このようなロック装置を用いる場合、障子の高さ寸法が大きくなると、それに応じてロックバーの長さ寸法も大きくする必要があり、ロックバーの重量が増大する。このため、例えばハンドルをアンロック位置に回転させてロックバーを上方に押し上げて障子を開いた状態でロックバーが自重によって下降し、ハンドルをロック方向に回転させてしまう可能性がある。そうすると、開いている障子を閉じる際、ロック位置にあるハンドルを再度アンロック位置に戻してから障子を閉じる必要があり、手間がかかる。また、ハンドルがロック位置のままで誤って障子を閉めた場合は、ロックピンが錠受け部材に衝撃的に当たり、破損等を生じる可能性もある。なお、このような問題は、ロックバーの長さ寸法の長短にかかわらず、ハンドルとロックバーとの間の摺動抵抗が小さい構成等でも同様に起こり得る。
【０００６】
本発明は、上記従来技術の課題を考慮してなされたものであり、意図しない動作の発生を抑制することができる利用できるロック装置、該ロック装置を備える開閉装置及び該開閉装置を備える建具を提供することを目的とする。
【課題を解決するための手段】
【０００７】
本発明に係るロック装置は、障子を枠体に対して閉じ位置でロックするロック装置であって、回転操作部と、前記回転操作部が回転操作された場合に上下方向の変位を持って旋回動作する駆動部材と、上下方向にスライド可能であり、錠受け部材に対して係脱可能なロックバーと、前記ロックバーの一側面から突出するように設けられ、上方へと旋回する前記駆動部材によって押圧される上側受圧部材とを備え、前記回転操作部がロック位置からアンロック位置に回転操作された場合に前記駆動部材によって前記上側受圧部材が押圧されて前記ロックバーが上昇して前記錠受け部材と非係合状態となる一方、前記回転操作部が前記アンロック位置から前記ロック位置に回転操作された場合に前記ロックバーが下降して前記錠受け部材と係合状態となることで、前記障子を前記枠体に対して閉じ位置でロックするものであり、前記上側受圧部材は、前記ロックバーのスライド方向と直交する横方向に沿って設けられ、前記回転操作部が前記ロック位置から前記アンロック位置に向かって操作された場合に前記駆動部材によって押圧される操作面と、前記操作面から連続するように設けられ、該上側受圧部材の先端側に向かって上方に傾斜すると共に、前記回転操作部がアンロック位置とされた状態で前記駆動部材が当接する傾斜面とを有することを特徴とする。
【０００８】
このような構成によれば、アンロック位置では駆動部材が上側受圧部材の傾斜面に当接する。このため、ロックバーの重量によってアンロック位置にある駆動部材が意図せずにロック方向である下方へと旋回してしまう不具合の発生を回避できる。従って、当該ロック装置は、例えば高さ寸法の障子に設置されてロックバーの重量が増大した場合であっても上記のような不具合の発生を防止できる。
【０００９】
本発明に係るロック装置において、前記回転操作部がアンロック位置とされて前記駆動部材が前記傾斜面に当接した状態で、前記駆動部材の軸中心と前記回転操作部の回転中心とを通過する第１直線が前記傾斜面に対して直交する構成とした場合での前記操作面に沿う第２直線と前記傾斜面との間の交差角度を基準角度と称すると、前記第２直線と前記傾斜面との間の交差角度が、前記基準角度以下に設定された構成であってもよい。そうすると、駆動部材をロック位置からアンロック位置に向けて上方に旋回させる際、駆動部材による押圧力が確実にロックバーの上方へのスライド力として伝達されるため、回転操作部の円滑な操作が可能となる。
【００１０】
本発明に係るロック装置において、前記回転操作部は、前記ロック位置から前記アンロック位置まで９０度回転する構成であって、前記ロック位置において前記駆動部材はその軸中心が前記横方向から下方に４５度旋回した位置に設定される一方、前記アンロック位置において前記駆動部材はその軸中心が前記横方向から上方に４５度旋回した位置に設定されるものであり、前記操作面に沿う直線と前記傾斜面との間の交差角度が、４５度以下に設定された構成であってもよい。そうすると、駆動部材をロック位置からアンロック位置に向けて上方に旋回させる際、駆動部材による押圧力が確実にロックバーの上方へのスライド力として伝達されるため、回転操作部の円滑な操作が可能となる。
【００１１】
本発明に係るロック装置において、前記上側受圧部材と対向配置されて前記ロックバーの一側面から突出するように設けられ、下方へと旋回する前記駆動部材によって押圧される下側受圧部材を備え、前記下側受圧部材は、前記ロックバーのスライド方向と直交する横方向に沿って設けられ、前記回転操作部が前記アンロック位置から前記ロック位置に向かって操作された場合に前記駆動部材によって押圧される下側操作面と、前記下側操作面から連続するように設けられ、該下側受圧部材の先端側に向かって下方に傾斜すると共に、前記回転操作部がロック位置とされた状態で前記駆動部材が当接する下側傾斜面とを有する構成であってもよい。そうすると、ロックバーを例えば１８０度回転させて利用でき、汎用性が向上する。
【００１２】
本発明に係るロック装置において、前記駆動部材は、前記操作面及び前記傾斜面に対して外周面が当接するピン状部材で構成されてもよい。そうすると、ピン状部材の外周面を操作面や傾斜面に円滑に摺接させてロックバーを動作させることができる。しかも、駆動部材がピン状部材であっても、このピン状部材はアンロック位置では上側受圧部材の傾斜面に当接し、意図しないロック装置の動作の発生は防止できる。
【００１３】
本発明に係るロック装置において、前記回転操作部は、前記障子の外面から出没可能に設けられたハンドルを有する構成であってもよい。そうすると、当該ロック装置はハンドルを利用して円滑にロック及びアンロックの動作を実施できる。また、ハンドルが意図せずにアンロック位置からロック位置に動作する事態も防止できる。
【００１４】
本発明に係る開閉装置は、上記構成のロック装置を有する前記障子と、該障子を開閉可能に支持すると共に前記錠受け部材を有する前記枠体とを備えることを特徴とする。このような構成によれば、アンロック位置にあるロックバーがその重量によってロック位置に意図せずに下降した状態で誤って障子を閉めてしまい、ロックバー或いはこれに設けられるロックピンが錠受け部材に衝撃的に当接して破損する事態を回避できる。
【００１５】
本発明に係る建具は、上記構成の開閉装置と、前記枠体の縦枠と連結された窓とを備える建具であって、前記開閉装置は、前記障子を開動作させた場合に、前記枠体の開口部が屋内外に連通して外気を屋内に取り込む換気通路を形成する換気装置であることを特徴とする。このような構成によれば、一般的な窓等に利用される障子よりも縦長に構成されることが多い換気装置に当該ロック装置を設けることで、意図しない駆動部材や回転操作部の動作の発生を確実に防止できる。
【発明の効果】
【００１６】
本発明によれば、意図せずにロック装置が動作する不具合を生じることを防止できる。
【図面の簡単な説明】
【００１７】
【図１】本発明の一実施形態に係る開閉装置を備えた建具を屋外側から見た姿図である。
【図２】図１に示す建具を屋内側から見た姿図である。
【図３】ハンドル及びその周辺部品の平面図である。
【図４】図３に示すハンドル及びその周辺部品を屋内側から見た正面図である。
【図５】ロック装置をハンドルの裏側から見た構成図であり、図５（Ａ）は、ハンドルがロック位置にある状態を示す図であり、図５（Ｂ）は、ハンドルがアンロック位置にある状態を示す図である。
【図６】ロック装置の動作状態を示す図であり、図６（Ａ）は、錠受け部材にロックピンが係合したロック状態を示す図であり、図６（Ｂ）は、錠受け部材からロックピンの係合が解除されたアンロック状態を示す図であり、図６（Ｃ）は、ハンドルがロック位置にある場合の駆動ピンの状態を示す図であり、図６（Ｄ）は、ハンドルがアンロック位置にある場合の駆動ピンの状態を示す図である。
【図７】ロック装置をロック状態からアンロック状態に動作させる状態を示す動作図であり、図７（Ａ）は、ロック位置を示す図であり、図７（Ｂ）は、図７（Ａ）に示す状態からハンドルがアンロック方向に回転された状態を示す図であり、図７（Ｃ）は、図７（Ｂ）に示す状態からさらにハンドルがアンロック方向に回転された状態を示す図であり、図７（Ｄ）は、アンロック位置を示す図である。
【図８】図７（Ｄ）に示すアンロック状態のロック装置の要部拡大図である。
【発明を実施するための形態】
【００１８】
図１は、本発明の一実施形態に係る開閉装置１０を備えた建具１２を屋外側から見た姿図である。図２は、図１に示す建具１２を屋内側から見た姿図である。本実施形態の開閉装置１０は、窓１４と連結された建具１２として建物外壁の開口部に設置され、屋外の空気を取り込んで屋内を換気する換気装置である。
【００１９】
図１及び図２に示すように、窓１４は、窓枠１６と、窓枠１６の開口部に嵌め殺した窓ガラス１８とを備える嵌め殺し窓である。窓枠１６は、上窓枠１６ａと、下窓枠１６ｂと、左右の縦窓枠１６ｃ，１６ｄとを四周枠組みした構成である。各窓枠１６ａ〜１６ｄは、例えばアルミニウム等の金属又は塩化ビニル樹脂（ＰＶＣ）等の樹脂の押出形材である。
【００２０】
本実施形態では、嵌め殺し窓の窓１４と開閉装置１０とを連結した構成の建具１２を例示する。建具１２は、嵌め殺し窓以外、例えば引違い窓等のスライディング窓、開き窓等の回転窓、上げ下げ窓等の各種構成の窓と開閉装置１０を連結した構成でもよい。建具１２は、開閉装置１０と窓１４とが連結されず、例えば建物外壁を間に挟んでそれぞれ独立して設置された構成でもよい。開閉装置１０は単独で設置されてもよい。
【００２１】
図１及び図２に示すように、開閉装置１０は、枠体２０と、枠体２０の開口部２２を開閉する内障子２４及び外障子２５とを備える。開閉装置１０は、例えば内障子２４と外障子２５の間に換気経路を備えた換気装置である。
【００２２】
枠体２０は、上枠２０ａと、下枠２０ｂと、左右の縦枠２０ｃ，２０ｄとを四周枠組みした構成である。各枠２０ａ〜２０ｄは、例えばアルミニウム等の金属又は塩化ビニル樹脂（ＰＶＣ）等の樹脂の押出形材である。開閉装置１０は、一方の縦枠２０ｃが窓１４の一方の縦窓枠１６ｃと連結固定されることで建具１２を構成する。
【００２３】
本出願において、見込み方向とは建具１２の屋内外方向、つまり屋内側から屋外側に向かう方向又はその逆方向（図中に矢印Ｚで示す方向）をいい、見込み面とは見込み方向に沿って延在する面をいう。見付け方向とは見込み方向に直交する方向であり、上下方向に長尺な縦枠２０ｃ，２０ｄ等の場合はその長手方向に直交する左右方向（図中に矢印Ｘで示す方向）をいい、左右方向に長尺な上枠２０ａ及び下枠２０ｂ等の場合はその長手方向に直交する上下方向（図中に矢印Ｙで示す方向）をいう。見付け面とは見付け方向に沿った面をいう。換言すれば、各図中において、矢印Ｘで示す方向が建具１２の左右方向となり、矢印Ｙで示す方向が建具１２の上下方向となり、矢印Ｚで示す方向が建具１２の奥行方向となる。また、枠状部材の内側（内周）とは、例えば枠体２０の開口部２２を設けた枠内部分をいう。枠状部材の外側（外周）とは、例えば枠体２０の建物躯体に固定される枠外部分をいう。
【００２４】
図２に示すように、内障子２４の屋内側面には、開閉操作用のハンドル２８が設けられている。ハンドル２８は、内障子２４を枠体２０に対してロック又はアンロックするためのロック装置３０（図５（Ａ）参照）の回転操作部である。外障子２５は省略してもよい。ロック装置３０（ハンドル２８）は外障子２５に設けてもよい。
【００２５】
次に、ロック装置３０のハンドル２８の構成例を説明する。図３は、ハンドル２８及びその周辺部品の平面図である。図４は、図３に示すハンドル２８及びその周辺部品を屋内側から見た正面図である。以下の説明では、ロック装置３０について図２に示すように内障子２４に取り付けられた状態を基準として説明する。
【００２６】
図３及び図４に示すように、ハンドル２８は、一端側が円弧状に形成された帯状プレートである。ハンドル２８は、ハンドルベース３２に対して回転可能に支持されている。
【００２７】
ハンドルベース３２は、両端が円弧状に形成されたブロック形状であり、本体部３２ａと、フランジ部３２ｂと、収納凹部３２ｃとを有する。本体部３２ａは、内外方向に延在した楕円柱状部分である。フランジ部３２ｂは、本体部３２ａの屋内側縁部を一回り大きく張り出させた部分である。収納凹部３２ｃは、フランジ部３２ｂの表面に設けられ、その屋内側に設けられたハンドル２８を収納可能な浅い凹みである。
【００２８】
ハンドル２８は、ハンドルベース３２の収納凹部３２ｃ側に配置されている。ハンドル２８は、円弧状に形成された一端側の裏面に回転軸部材２８ａが突設されている。回転軸部材２８ａは、収納凹部３２ｃから本体部３２ａまでをＺ方向に貫通し、ハンドルベース３２に対して回転可能に支持されている。さらにハンドル２８は、回転軸部材２８ａに対して屋内側に向かって揺動可能に連結されている（図３中に２点鎖線で示すハンドル２８参照）。回転軸部材２８ａは、本体部３２ａから突き出した先端部に回転体３４が固定されている。回転体３４は、例えば扇形状のプレートである（図５（Ａ）参照）。回転体３４には、回転軸部材２８ａから偏心した軸中心を持つ円柱形状の駆動ピン（駆動部材）３６が設けられている。駆動ピン３６は、ハンドルベース３２側とは反対側に向かって回転体３４の表面から突出している。本実施形態の場合、ハンドル２８は、図４中に実線で示すロック位置から２点鎖線で示すアンロック位置まで９０度回転可能な構成となっている。駆動ピン３６は、このようなハンドル２８の回転操作に伴い回転軸部材２８ａを旋回中心として旋回する。ハンドル２８によって旋回する駆動部材は、ピン状部材である駆動ピン３６以外、例えば板片状部材や角柱状部材等であってもよい。
【００２９】
ハンドル２８は、図４中に実線で示すロック位置において、ハンドルベース３２の収納凹部３２ｃ内に収納可能である。収納凹部３２ｃは、収納したハンドル２８の回転軸部材２８ａ側とは反対側の他端側に操作スペース３２ｄを形成する形状である。ロック位置にあるハンドル２８は、操作スペース３２ｄを利用して指先をかけて手前側に引き起こすことができる（図３中に２点鎖線で示すハンドル２８参照）。ハンドル２８を回転操作する際は、収納凹部３２ｃから引き起こしたハンドル２８を回転軸部材２８ａを回転中心として下方に押し下げればよい。
【００３０】
次に、ロック装置３０の構成例を説明する。図５は、ロック装置３０をハンドル２８の裏側から見た構成図であり、図５（Ａ）は、ハンドル２８がロック位置にある状態を示す図であり、図５（Ｂ）は、ハンドル２８がアンロック位置にある状態を示す図である。図６は、ロック装置３０の動作状態を示す図であり、図６（Ａ）は、錠受け部材４６にロックピン４０が係合したロック状態を示す図であり、図６（Ｂ）は、錠受け部材４６からロックピン４０の係合が解除されたアンロック状態を示す図であり、図６（Ｃ）は、ハンドル２８がロック位置にある場合の駆動ピン３６の状態を示す図であり、図６（Ｄ）は、ハンドル２８がアンロック位置にある場合の駆動ピン３６の状態を示す図である。
【００３１】
図５（Ａ）〜図６（Ｄ）に示すように、ロック装置３０は、ハンドル２８及び駆動ピン３６と、ロックバー３８と、ロックピン４０と、上側受圧部材４２と、下側受圧部材４４とを備える。
【００３２】
ハンドル２８は、上記した通り９０度回転可能な構成である。図６（Ｃ）に示すように、ハンドル２８がロック位置にある場合、駆動ピン３６は水平方向（Ｘ方向）から下方に４５度旋回した位置となる。図６（Ｄ）に示すように、ハンドル２８がアンロック位置にある場合、駆動ピン３６は水平方向（Ｘ方向）から上方に４５度旋回した位置となる。換言すれば、ハンドル２８がロック位置にある場合、回転軸部材２８ａの回転中心Ｏ１と駆動ピン３６の軸中心Ｏ２とを通過する直線Ｌ１は、水平方向の直線Ｌ２から下方に４５度傾くように設定される。また、ハンドル２８がアンロック位置にある場合、直線Ｌ１は水平方向の直線Ｌ２から上方に４５度傾くように設定される。駆動ピン３６は、このように水平方向の直線Ｌ２から上下にそれぞれ４５度旋回する。これにより、９０度回転動作するハンドル２８を用いた構成で駆動ピン３６の上下方向の変位量を最大に確保でき、ロックバー３８（ロックピン４０）の変位量Ｈも最大となる（図５参照）。
【００３３】
ロックバー３８は、上下方向に沿って延在する棒状部材である。ロックバー３８は、内障子２４の戸先側の側面である見込み面２４ａ（図２参照）に対して上下方向にスライド可能に支持されている。ロックバー３８は、その設置対象である内障子２４の高さ寸法が大きくなると、それに応じて長さ寸法も大きく設定される。
【００３４】
ロックピン４０は、円柱形状のピンである。ロックピン４０は、ロックバー３８の枠体２０の一方の縦枠２０ｃに対向する側面３８ａから突出している。ロックピン４０は、例えばロックバー３８の上端部付近及び下端部付近にそれぞれ設けられている。ロックピン４０の設置本数はロックバー３８の長さ寸法等に応じて適宜変更可能である。ロックバー３８は、例えば内障子２４の見込み面２４ａに形成されて上下方向に延びたポケット状凹部に上下動可能に収容される。各ロックピン４０は、前記ポケット状凹部の開口から縦枠２０ｃ側に突出している。各ロックピン４０は、内障子２４を閉じ位置とした状態で縦枠２０ｃ側の錠受け部材４６に係合可能である。
【００３５】
錠受け部材４６は、内障子２４の見込み面２４ａに対向する縦枠２０ｃの見込み面２０ｅ（図２参照）に固定されている。錠受け部材４６は、見込み面２０ｅに取付固定される取付プレート４６ａから直交方向に屈曲形成されたロックプレート４６ｂを有する（図６（Ａ）参照）。ロックプレート４６ｂは、ロックピン４０と係合可能なプレートである。
【００３６】
上側受圧部材４２は、ロックバー３８のロックピン４０とは反対側の側面（一側面）３８ｂから上下方向と交差する横方向（Ｘ方向）に突出した突出片である。下側受圧部材４４は、上側受圧部材４２の下方に対向配置され、側面（一側面）３８ｂから突出した突出片である。上側受圧部材４２及び下側受圧部材４４は、上下対称構造で対となったフォーク形状を構成している。上側受圧部材４２及び下側受圧部材４４は、上下のロックピン４０，４０間でロックバー３８の長手方向略中央に設けられている。本実施形態の場合、上側受圧部材４２及び下側受圧部材４４は、ロックバー３８の側面３８ａに取付固定された支持プレート４８に突設され、ロックバー３８をＸ方向に貫通して側面３８ｂから突出している。
【００３７】
上側受圧部材４２は、上方へとロック方向に旋回する駆動ピン３６によって押圧される部材である。上側受圧部材４２は、操作面４２ａと、傾斜面４２ｂとを有する。操作面４２ａは、上側受圧部材４２の下面であり、ロックバー３８のスライド方向（Ｙ方向）と直交する横方向（Ｘ方向）に沿う面である。傾斜面４２ｂは、操作面４２ａから連続するように設けられ、上側受圧部材４２の先端側に向かって上方に傾斜した面である。
【００３８】
下側受圧部材４４は、ロックバー３８のロックピン４０とは反対側の側面（一側面）３８ｂから上下方向と交差する横方向（Ｘ方向）に突出した突出片である。下側受圧部材４４は、下方へとアンロック方向に旋回する駆動ピン３６によって押圧される部材である。下側受圧部材４４は、操作面（下側操作面）４４ａと、傾斜面（下側傾斜面）４４ｂとを有する。操作面４４ａは、下側受圧部材４４の上面であり、ロックバー３８のスライド方向（Ｙ方向）と直交する横方向（Ｘ方向）に沿う面である。傾斜面４４ｂは、操作面４４ａから連続するように設けられ、下側受圧部材４４の先端側に向かって下方に傾斜した面である。下側受圧部材４４は、その操作面４４ａと上側受圧部材４２の操作面４２ａとの間に駆動ピン３６を挿入可能な隙間を有する。この隙間は、駆動ピン３６の外径よりも僅かに大きい程度に設定されている。これにより、上側受圧部材４２及び下側受圧部材４４は、駆動ピン３６の旋回動作を最小限のロスでロックバー３８の上下動作に変換できる。傾斜面４２ｂ，４４ｂは、曲面で構成されてもよい。
【００３９】
次に、ロック装置３０の動作例を説明する。図７は、ロック装置３０をロック状態からアンロック状態に動作させる状態を示す動作図である。
【００４０】
ロック装置３０は、ハンドル２８が図６（Ｃ）に示すロック位置にあるロック状態では、図５（Ａ）及び図６（Ａ）に示すようにロックバー３８が最も下方にスライドした位置にあり、ロックピン４０が錠受け部材４６のロックプレート４６ｂに係合している。この状態では、駆動ピン３６は、図７（Ａ）に示すように下側受圧部材４４の傾斜面４４ｂに当接した位置にある。
【００４１】
ロック装置３０は、ハンドル２８がロック位置からアンロック位置に向かって回転操作されると、駆動ピン３６が回転軸部材２８ａを旋回中心として上方へと旋回動作する。そうすると、駆動ピン３６が上側受圧部材４２に当接する。本実施形態の場合、駆動ピン３６は、先ず図７（Ｂ）に示すように操作面４２ａと傾斜面４２ｂとの境界にある角部又はこの角部付近に当接する。
【００４２】
図７（Ｂ）に示す状態から、さらにハンドル２８がアンロック位置に向かって回転操作されると、図７（Ｃ）に示すように駆動ピン３６は操作面４２ａに当接しながらこれを押し上げる。このため、ロックバー３８は、内障子２４に対して相対的に上方へとスライドし、ロックピン４０も上方に移動する。
【００４３】
最終的にハンドル２８がアンロック位置まで９０度回転操作されると、図５（Ｂ）及び図６（Ｂ）に示すようにロックバー３８が最も上方にスライドした位置となり、ロックピン４０の錠受け部材４６のロックプレート４６ｂへの係合状態が解除される。つまりロック装置３０がアンロック状態となる。この状態では、駆動ピン３６は、図７（Ｄ）に示すように上側受圧部材４２の傾斜面４２ｂに当接した位置となる。この状態からハンドル２８を手前側に引き寄せることで、内障子２４を屋内側へと開き動作させることができ、これと連動して外障子２５は屋外側に開き動作する。その結果、窓装置１０は、枠体２０の開口部２２が屋内外に連通して外気を屋内に取り込む換気通路が形成される。
【００４４】
図８は、図７（Ｄ）に示すアンロック状態のロック装置３０の要部拡大図である。
【００４５】
図８に示すように、ロック装置３０は、アンロック状態で駆動ピン３６が上側受圧部材４２の傾斜面４２ｂに当接した位置となる。以下の説明では、この状態で、駆動ピン３６の軸中心Ｏ２と回転軸部材２８ａの回転中心Ｏ１とを通過する直線（第１直線）Ｌ１が傾斜面４２ｂに対して直交する構成とした場合に、この構成での操作面４２ｂに沿う直線（第２直線）Ｌ２と傾斜面４２ｂとの間の交差角度θを基準角度と称する。なお、本実施形態では、図６（Ｂ）に示すようにアンロック状態で直線Ｌ１が直線Ｌ２に対して４５度傾いた角度に設定される。このため、図８中の角度αが４５度となり、直線Ｌ１が傾斜面４２ｂに直交する際の交差角度θである基準角度は４５度となる。
【００４６】
そこで、先ずロック装置３０において、例えば交差角度θが基準角度である４５度に設定された構成を考える。
【００４７】
この構成において、ロックピン４０、支持プレート４８、上側受圧部材４２及び下側受圧部材４４を含むロックバー３８の合計重量を荷重Ｐと称する。そうすると、荷重Ｐが駆動ピン３６の旋回方向（ロック方向）に与える力は、Ｐ×ｃｏｓ９０°＝０、となる。このため、ロック装置３０は、アンロック方向に上昇したロックバー３８からの荷重Ｐが、駆動ピン３６をアンロック方向に旋回させることを防止できる。
【００４８】
これにより、例えば内障子２４が開き位置にある状態で荷重Ｐによってハンドル２８が意図せずにロック位置に回転することを防止できる。その結果、内障子２４が開き位置にある場合は常時ハンドル２８がアンロック位置に維持されるため、内障子２４を閉じ操作する際はハンドル２８を再び回転操作することなくそのまま内障子２４を閉じることができる。また、内障子２４が開き位置にある状態でハンドル２８が意図せずロック位置に回転してしまい、内障子２４を閉じた際にロックピン４０が錠受け部材４６に衝撃的に当接して破損する問題を生じることもない。
【００４９】
但し、交差角度θが基準角度である４５度に設定された場合、ロック装置３０はロック位置からアンロック位置に向かう際、図７（Ｂ）に示すように駆動ピン３６が傾斜面４２ｂに当接した後は、駆動ピン３６の力が円滑に上側受圧部材４２の上昇方向に変換されず、ハンドル２８の操作力が過大に必要となる可能性がある。
【００５０】
そこで、次に直線Ｌ２と傾斜面４２ｂとの間の交差角度θの最適角度について説明する。
【００５１】
交差角度θは、ロックバー３８の重量に基づく荷重Ｐによるハンドル２８の回転を防止しつつ、アンロック方向へのハンドル２８の回転操作を円滑にできることが望ましい。
【００５２】
例えば全長２４００ｍｍのロックバー３８による荷重Ｐが３．６（Ｎ）であり、駆動ピン３６の旋回時の回転抵抗ｆが０．９（Ｎ）であり、駆動ピン３６の旋回力（旋回モーメント）Ｆ１が１０３．４（Ｎ）である場合、交差角度θの最適値は以下のように算出できる。なお、旋回力Ｆ１は、例えばハンドル２８の回転操作力Ｆ２（例えば３０（Ｎ））と、ハンドル２８の操作位置から回転軸部材２８ａまでの距離Ｒと、回転軸部材２８ａの回転中心Ｏ１から駆動ピン３６の軸中心Ｏ２までの距離ｒとを用いて、Ｆ１＝（Ｆ２×Ｒ）／ｒ、と算出できる。
【００５３】
先ず、ハンドル２８が荷重Ｐによって回転しない交差角度θは、次式Ａのように示される。
ｆ−Ｐｃｏｓ（４５°＋θ）＞０  （式Ａ）
次に、ハンドル２８が回転操作力Ｒ２（＝３０（Ｎ））で押し上げることができる交差角度θは、次式Ｂのように示される。
Ｆ１ｃｏｓ（４５°＋θ）−Ｐ＞０  （式Ｂ）
以上より、交差角度θは、３２°＜θ＜４２°、と算出できる。
【００５４】
そこで、交差角度θの最適角度は、上記の通り、３２度〜４２度の範囲に設定されるとよく、部品交差等を考慮すると例えば３５度或いは４０度に設定されるとよい。そうするとロック装置３０は、ロックバー３８の重量による意図しないアンロック位置からロック位置への動作を防止しつつ、アンロック位置からロック位置へとハンドル２８を円滑に操作できるようになる。なお、ハンドル２８の回転操作力Ｆ２が上記例示した３０（Ｎ）よりも大きく取ることができれば、例えば交差角度θは基準角度である４５度に設定されてもよい。このように当該ロック装置３０では、交差角度θは４５度以下、好ましくは３２度〜４２度に設定されるとよい。なお、ロック装置３０は、基準角度が４５度以外に設定された構成の場合にも、交差角度θを基準角度以下とすることで、アンロック位置からロック位置へのハンドル２８の円滑な操作が可能となる。
【００５５】
特に、本実施形態の開閉装置１０のような換気装置は、縦長且つ横短に構成されることが多い。このため、ハンドル２８は、その長さ寸法を十分に取ることができず、その回転操作力も限定的になる。しかしながら、ハンドル２８は、当該ロック装置３０を用いることでロック位置からアンロック位置への円滑な操作と、意図しないアンロック位置からロック位置への動作の防止とが可能となる。
【００５６】
なお、当該ロック装置３０では、図５（Ａ）等から明らかな通り、上側受圧部材４２と下側受圧部材４４とを上下対称構造としている。これにより、ロック装置３０は、例えば設置対象である内障子２４の開き方向が逆方向となり、上側受圧部材４２及び下側受圧部材４４のロックバー３８からの突出方向が左右反転した構成に対してもそのまま利用できる。すなわちロックバー３８は、例えば１８０度回転させて下側受圧部材４４を上、上側受圧部材４２を下に配置しても図５（Ａ）等に示す構成と同じ作用を発揮でき、汎用性が高い。下側受圧部材４４は、傾斜面４４ｂを持たない構成であってもよい。また、下側受圧部材４４は省略し、例えばハンドル２８をロック方向に操作した際にロックバー３８をその自重或いはばね等による付勢力で下降させる構成としてもよい。
【００５７】
以上のように、当該ロック装置３０は、ハンドル２８がアンロック位置とされた状態で駆動ピン３６が当接する傾斜面４２ｂを上側受圧部材４２に有する。このため、例えば内障子２４の高さ寸法が大きく、ロックバー３８の重量が増大した構成であっても、アンロック位置にある駆動ピン３６（ハンドル２８）がロックバー３８の重量によって意図せずにロック方向である下方へと旋回してしまう不具合の発生を回避できる。特に、本実施形態の開閉装置１０は、換気装置であり、一般的な窓等に利用される障子よりも縦長に構成されることが多い。このため、換気装置ではロックバー３８の重量が増大し易い傾向にあるが、上記構成のロック装置３０を適用することで意図しない駆動ピン３６やハンドル２８の動作の発生を防止できる。
【００５８】
なお、本発明は、上記した実施形態に限定されるものではなく、本発明の主旨を逸脱しない範囲で自由に変更できることは勿論である。
【００５９】
上記ではロック装置３０は、換気装置である開閉装置１０に適用する構成を例示したが、ロック装置３０が適用される開閉装置１０は開き窓や引違い窓、引き戸等の戸先錠等であってもよい。
【００６０】
上記ではロック装置３０は、ハンドル２８で駆動ピン３６を旋回させる構成を例示したが、ハンドル２８を省略し、例えば回転操作部となるロックキーによって駆動ピン３６を旋回させる構成でもよい。
【００６１】
上記ではロック装置３０は、ロックバー３８に設けたロックピン４０を錠受け部材４６に係脱する構成を例示したが、例えば錠受け部材４６をピンで構成し、ロックバー３８に錠受け部材４６のピンに係脱するフック等を設けた構成としてもよい。
【符号の説明】
【００６２】
１０  開閉装置、１２  建具、１４  窓、１６  窓枠、２０  枠体、２２  開口部、２４  内障子、２５  外障子、２８  ハンドル、２８ａ  回転軸部材、３０  ロック装置、３２  ハンドルベース、３６  駆動ピン、３８  ロックバー、４０  ロックピン、４２  上側受圧部材、４２ａ，４４ａ  操作面、４２ｂ，４４ｂ  傾斜面、４４  下側受圧部材、４６  錠受け部材
【図１】
2018193746.tif 000003
【図２】
2018193746.tif 000004
【図３】
2018193746.tif 000005
【図４】
2018193746.tif 000006
【図５】
2018193746.tif 000007
【図６】
2018193746.tif 000008
【図７】
2018193746.tif 000009
【図８】
2018193746.tif 000010